(57)【要約】【課題】  上方からの洗剤の補充作業が簡単な洗剤供給装置を提供することを課題とする。【解決手段】  洗剤供給装置１は、洗剤補充蓋と洗剤供給蓋とを持つ洗剤タンク２１とリンス供給弁２２４を持つリンスタンク２２とを持つ基部２と、洗剤補充蓋および洗剤供給蓋を開閉可能な縦リンク部３と、縦リンク部３を付勢する縦リンク付勢部材５と、縦リンク部３に対して交差する方向に揺動し、リンス供給弁２２４を開閉可能であり、縦リンク付勢部材５の付勢力を蓄えたまま縦リンク部３を係止可能な横リンク部４と、横リンク部４を駆動する駆動部材６と、を備える。縦リンク部３係止時に、駆動部材６により横リンク部４が揺動し、横リンク部４から縦リンク部３が解放され、洗剤補充蓋および洗剤供給蓋を開閉する洗剤モードと、縦リンク部３解放時に、駆動部材６により横リンク部４が揺動し、リンス供給弁２２４を開閉するリンスモードと、に切り替え可能である。【選択図】  図４
2005131057.tif 000002
【特許請求の範囲】
【請求項１】
上方に開口する凹状の洗浄槽の立壁に配置され、洗剤をタンク内に補充する上向きの洗剤補充口を開閉可能な洗剤補充蓋と該洗剤を前記洗浄槽の槽内に供給する洗剤供給口を開閉可能な洗剤供給蓋とを持つ洗剤タンクと、リンスを該洗浄槽の槽内に供給するリンス供給口を開閉可能なリンス供給弁を持つリンスタンクと、を持つ基部と、
該洗剤補充蓋および該洗剤供給蓋を開閉可能な縦リンク部と、
該縦リンク部を付勢する縦リンク付勢部材と、
該縦リンク部に対して交差する方向に揺動し、該リンス供給弁を開閉可能であるとともに、該縦リンク付勢部材の付勢力が蓄積された状態で該縦リンク部を係止可能な横リンク部と、
該横リンク部を駆動する駆動部材と、
を備えてなり、
該横リンク部が該縦リンク部を係止している際、該駆動部材からの駆動力で該横リンク部が揺動し、該横リンク部から該縦リンク部が解放されることで、該縦リンク付勢部材の付勢力により該洗剤補充蓋および該洗剤供給蓋を開閉する洗剤モードと、
該横リンク部から該縦リンク部が解放されている際、該駆動部材からの駆動力で該横リンク部が揺動し、該リンス供給弁を開閉するリンスモードと、
に切り替え可能なことを特徴とする食器洗浄機の洗剤供給装置。
【請求項２】
前記縦リンク部は、
前記洗剤補充蓋の揺動軸を中心に揺動する縦第一アームと、
前記洗剤供給蓋の揺動軸を中心に揺動し、該縦第一アームと連動する縦第二アームと、を持ち、
前記横リンク部は、
前記リンス供給弁を開閉可能であり、該縦第二アームに当接する横第一アームと、
該横第一アームを該縦第二アーム方向に付勢する横リンク付勢部材と、
該横リンク付勢部材の付勢力により該横第一アームと係合可能であり、前記駆動部材に従動し、前記縦リンク付勢部材および該横リンク付勢部材の付勢力が蓄積された状態で該縦第二アームを係止可能な横第二アームと、を持ち、
前記洗剤モードにおいては、該駆動部材からの駆動力で該横第二アームが揺動し、該縦第二アームが該横第二アームから開放され、該縦リンク付勢部材の付勢力により該縦第二アームが揺動することで該洗剤供給蓋が開閉し、該縦第一アームが該縦第二アームに連動することで該洗剤補充蓋が開閉し、該横リンク付勢部材の付勢力により該横第一アームと該横第二アームとが係合し、
前記リンスモードにおいては、該洗剤モードにおいて係合した該横第一アームと該横第二アームとが、該駆動部材からの駆動力で一体揺動することにより、該リンス供給弁が開閉する請求項１に記載の食器洗浄機の洗剤供給装置。
【発明の詳細な説明】
【技術分野】
【０００１】
本発明は、洗浄槽内に食器を収容し洗浄する食器洗浄機の洗剤供給装置に関する。
【背景技術】
【０００２】
食器洗浄機の中には、食器の出し入れの便宜のため、洗浄槽の一壁が揺動開閉する扉となっているタイプのものがある。このタイプの食器洗浄機の場合、洗剤供給装置は扉に配置されている（例えば、特許文献１、２）。
【０００３】
図２５に、同タイプの食器洗浄機における洗剤供給装置の配置図を示す。図に示すように、洗浄槽１０１の一壁は、下端が枢支された開閉扉１０２となっている。開閉扉１０２の裏面には、洗剤供給装置１００が埋設されている。
【０００４】
図２６に、同食器洗浄機の洗剤供給装置の拡大図を示す。図に示すように、洗剤供給装置１００には、洗剤タンク１０３とリンスタンク１０４とが配置されている。洗剤タンク１０３には、洗剤補充−供給口１０５が開設されている。洗剤補充−供給口１０５は、洗剤補充−供給蓋１０６により開閉可能に覆われている。リンスタンク１０４には、リンス補充口１０７とリンス供給口１０８とが開設されている。リンス補充口１０７は、リンス補充蓋１０９により開閉可能に覆われている。リンス供給口１０８は、リンス供給弁１１１により開閉される。なお、食器洗浄時において、洗剤補充−供給蓋１０６とリンス供給弁１１１とは、駆動部材（図略）により自動的に開閉される。この際、洗剤補充−供給蓋１０６の開閉方向ａ１００と、リンス供給弁１１１の開閉方向ａ１０１とは、共に開閉扉１０２面展開方向に沿って一致している。
【０００５】
洗剤供給装置１００は、開閉扉１０２とともに、室内１１０に展開される。このため、展開された洗剤供給装置１００の上方に、比較的広いスペースが発生する。したがって、操作者が洗剤タンク１０３に洗剤を補充する際、あるいはリンスタンク１０４にリンスを補充する際、補充に必要なスペースを確保しやすい。
【特許文献１】特開２０００−３００４９８号公報
【特許文献２】特開平９−１４０６５４号公報
【発明の開示】
【発明が解決しようとする課題】
【０００６】
ところで、近年、キッチンに組み込まれるビルトイン引出しタイプの食器洗浄機が開発されている。同タイプの食器洗浄機の場合、洗浄槽全体をキッチンから引き出し、食器の出し入れを行う。
【０００７】
前出の洗剤供給装置１００をビルトイン引出しタイプの食器洗浄機に組み込むと、前記洗剤などの補充作業が煩雑になる。すなわち、洗剤補充−供給口１０５およびリンス補充口１０７は、立壁（開閉扉１０２が閉じた状態に相当）の面展開方向（略垂直面方向）に沿って開口することになる。また、立壁の近くには、洗浄槽１０１に収容された食器が比較的密に配置される。このため、操作者は、立壁と食器との狭小な隙間に上方から手を入れ、立壁に沿って開口する洗剤補充−供給口１０５あるいはリンス補充口１０７に、洗剤やリンスを補充しなければならない。
【０００８】
ここで、補充作業を簡単にするためには、例えば、洗剤補充−供給口１０５を洗浄槽内に突出させ、上向きに開設すればよい。ところが、洗剤補充−供給口１０５を上向きに開設すると、洗剤補充−供給蓋１０６の開閉方向ａ１００とリンス供給弁１１１の開閉方向ａ１０１とが、同じ面展開方向に沿わなくなる。つまり、開閉方向ａ１００と開閉方向ａ１０１とが、互いに交差する面展開方向に沿うことになる。したがって、食器洗浄時に洗剤補充−供給蓋１０６およびリンス供給弁１１１を駆動させる機構が複雑化する。
【０００９】
本発明の食器洗浄機の洗剤供給装置は、上記課題に鑑みて完成されたものである。したがって、本発明は、上方からの洗剤の補充作業が簡単な洗剤供給装置を提供することを目的とする。
【課題を解決するための手段】
【００１０】
（１）上記課題を解決するため、本発明の食器洗浄機の洗剤供給装置は、上方に開口する凹状の洗浄槽の立壁に配置され、洗剤をタンク内に補充する上向きの洗剤補充口を開閉可能な洗剤補充蓋と該洗剤を前記洗浄槽の槽内に供給する洗剤供給口を開閉可能な洗剤供給蓋とを持つ洗剤タンクと、リンスを該洗浄槽の槽内に供給するリンス供給口を開閉可能なリンス供給弁を持つリンスタンクと、を持つ基部と、該洗剤補充蓋および該洗剤供給蓋を開閉可能な縦リンク部と、該縦リンク部を付勢する縦リンク付勢部材と、該縦リンク部に対して交差する方向に揺動し、該リンス供給弁を開閉可能であるとともに、該縦リンク付勢部材の付勢力が蓄積された状態で該縦リンク部を係止可能な横リンク部と、該横リンク部を駆動する駆動部材と、を備えてなり、該横リンク部が該縦リンク部を係止している際、該駆動部材からの駆動力で該横リンク部が揺動し、該横リンク部から該縦リンク部が解放されることで、該縦リンク付勢部材の付勢力により該洗剤補充蓋および該洗剤供給蓋を開閉する洗剤モードと、該横リンク部から該縦リンク部が解放されている際、該駆動部材からの駆動力で該横リンク部が揺動し、該リンス供給弁を開閉するリンスモードと、に切り替え可能なことを特徴とする。
【００１１】
つまり、本発明の洗剤供給装置は、駆動部材の駆動力と縦リンク付勢部材の付勢力とにより、縦リンク部と横リンク部とを駆動するものである。縦リンク部には、洗剤補充蓋と洗剤供給蓋とが連動する。横リンク部にはリンス供給弁が連動する。横リンク部は、縦リンク付勢部材の付勢力が蓄積された状態で、縦リンク部を係止している。駆動部材は、横リンク部を駆動する。
【００１２】
洗剤モードにおいては、駆動部材に横リンク部が従動し、縦リンク部が横リンク部から解放される。このため、縦リンク部は、蓄えられていた縦リンク付勢部材の付勢力により、揺動する。したがって、洗剤補充蓋および洗剤供給蓋が開閉する。一方、リンスモードにおいては、駆動部材に横リンク部が従動し、リンス供給弁が開閉する。
【００１３】
このように、洗剤モードにおいては、駆動部材は縦リンク付勢部材の付勢力を解放するトリガーとして機能する。一方、リンスモードにおいては、駆動部材は横リンク部を揺動させるアクチュエータとして機能する。
【００１４】
本発明の洗剤供給装置によると、単一の駆動部材により、互いに交差する面展開方向に動く縦リンク部と横リンク部とを駆動することができる。すなわち、比較的簡単な駆動機構により、互いに交差する面展開方向に動く洗剤補充蓋とリンス供給弁とを、駆動することができる。また、駆動機構が簡単なため、本発明の洗剤供給装置はコンパクトである。したがって、省スペース性に優れている。また、洗剤補充口は上向きに開口している。このため、洗剤の補充作業が容易である。
【００１５】
なお、洗剤補充蓋、洗剤供給蓋、リンス供給弁の「開閉」とは、開動作および閉動作のうち、少なくとも一方をいう。また、開動作、閉動作には、全閉−全開間の切り替え動作のみならず、全閉−所定開度間あるいは全開−所定開度間の切り替え動作も含まれる。
【００１６】
（２）好ましくは、前記縦リンク部は、前記洗剤補充蓋の揺動軸を中心に揺動する縦第一アームと、前記洗剤供給蓋の揺動軸を中心に揺動し、該縦第一アームと連動する縦第二アームと、を持ち、前記横リンク部は、前記リンス供給弁を開閉可能であり、該縦第二アームに当接する横第一アームと、該横第一アームを該縦第二アーム方向に付勢する横リンク付勢部材と、該横リンク付勢部材の付勢力により該横第一アームと係合可能であり、前記駆動部材に従動し、前記縦リンク付勢部材および該横リンク付勢部材の付勢力が蓄積された状態で該縦第二アームを係止可能な横第二アームと、を持ち、前記洗剤モードにおいては、該駆動部材からの駆動力で該横第二アームが揺動し、該縦第二アームが該横第二アームから解放され、該縦リンク付勢部材の付勢力により該縦第二アームが揺動することで該洗剤供給蓋が開閉し、該縦第一アームが該縦第二アームに連動することで該洗剤補充蓋が開閉し、該横リンク付勢部材の付勢力により該横第一アームと該横第二アームとが係合し、前記リンスモードにおいては、該洗剤モードにおいて係合した該横第一アームと該横第二アームとが、該駆動部材からの駆動力で一体揺動することにより、該リンス供給弁が開閉する構成とする方がよい。
【００１７】
縦リンク部は、縦第一アームと縦第二アームとを備える。縦第一アームの揺動軸と洗剤補充蓋の揺動軸とは一致している。同様に、縦第二アームの揺動軸と洗剤供給蓋の揺動軸とは一致している。
【００１８】
横リンク部は、横第一アームと横第二アームと横リンク付勢部材とを備える。横第一アームは、リンス供給弁と連動している。横第二アームは、駆動部材に従動する。横リンク付勢部材は、横第一アームを、縦第二アーム方向および横第二アーム方向に、付勢している。縦第二アームには、横リンク付勢部材および前記縦リンク付勢部材の付勢力が加えられる。この付勢力が蓄積された状態の縦第二アームを、横第二アームが係止している。
【００１９】
洗剤モードにおいては、まず、駆動部材の駆動力により、横第二アームが揺動する。このため、縦第二アームが解放される。次いで、蓄積された縦リンク付勢部材の付勢力により、縦第二アームが揺動する。このため、洗剤供給蓋が開閉する。それから、縦第二アームに連動して縦第一アームも揺動する。このため、洗剤補充蓋が開閉する。並びに、蓄積された横リンク付勢部材の付勢力により、横第一アームが横第二アームと係合する。このため、横第一アームと横第二アームとが合体する。リンスモードにおいては、駆動部材の駆動力により、既に合体した横第二アームと横第一アームとが一体となって揺動する。このため、リンス供給弁が開閉する。
【００２０】
本構成によると、縦リンク部および横リンク部を構成する部品点数が少なくて済む。また、横第一アームと横第二アームとは係脱可能である。このため、洗剤モードにおいては、両アームを分離することで、横第二アームの揺動力が横第一アームに伝わりリンス供給弁が誤作動するのを抑制することができる。一方、リンスモードにおいては、両アームを係合させることで、横第二アームの揺動力を横第一アームに確実に伝えることができる。すなわち、リンス供給弁を確実に作動させることができる。
【発明の効果】
【００２１】
本発明の洗剤供給装置によると、単一の駆動部材により、互いに交差する縦リンク部と横リンク部とを駆動することができる。すなわち、比較的簡単な駆動機構により、互いに交差する方向に動く洗剤補充蓋とリンス供給弁とを、駆動することができる。また、駆動機構が簡単なため、本発明の洗剤供給装置はコンパクトである。したがって、省スペース性に優れている。また、洗剤補充口は上向きに開口している。このため、洗剤の補充作業が容易である。
【発明を実施するための最良の形態】
【００２２】
以下、本発明の洗剤供給装置の実施の形態について説明する。
【００２３】
まず、本実施形態の洗剤供給装置の配置について説明する。図１に、本実施形態の洗剤供給装置の配置図を示す。なお、以後説明に用いる各図においては、キッチンの意匠パネルからキッチン内部に向かう方向を、後ろから前に向かう方向と定義している。また、後方から前方を見た場合を基準に、左右方向を定義している。
【００２４】
図に示すように、食器洗浄機９０は、キッチン９の意匠パネル９３に対して後方に引き出し可能である。すなわち、食器洗浄機９０は、いわゆるビルトイン引出しタイプである。食器洗浄機９０の洗浄槽９１は、上方に開口する箱状を呈している。洗浄槽９１の底壁上面には、食器かご９４が固定されている。食器かご９４には、皿やコップなどの食器９５が載置されている。洗剤供給装置１は、洗浄槽９１の後壁９２に埋設されている。後壁９２は、本発明の立壁に含まれる。洗剤供給装置１と食器９５との間のスペースは、比較的狭小である。
【００２５】
次に、本実施形態の洗剤供給装置の前面側（洗浄槽９１槽内側）の構成について説明する。図２に、本実施形態の洗剤供給装置の前面側の合体斜視図を示す。図３に、同洗剤供給装置の前面側の分解斜視図を示す。図に示すように、洗剤供給装置１の前面側には、基板２０とパッキン２００とスクリュー２０１と洗剤補充口２１１と洗剤補充蓋２１２と洗剤供給口２１３と洗剤供給ダンパ２１４とリンス補充口２２１とリンス補充蓋２２２とリンス供給口２２３とが配置されている。洗剤供給ダンパ２１４は、本発明の洗剤供給蓋に含まれる。
【００２６】
基板２０は、樹脂製であって矩形板状を呈している。基板２０の前面は、洗浄槽９１の後壁９２に開設された矩形枠９２０から、槽内に表出している。基板２０の外縁には、スクリュー座２０２が合計八つ配置されている。また、基板２０と後壁９２との間には、ゴム製であって矩形枠状のパッキン２００が介装されている。後壁９２を貫通したスクリュー２０１がスクリュー座２０２に螺着されることにより、パッキン２００を介して基板２０が後壁９２後面に固定されている。
【００２７】
洗剤補充口２１１は、基板２０上部に開設されている。洗剤補充口２１１は、上向きであって上下方向に曲がる弧枠状を呈している。洗剤補充口２１１には、操作者により洗剤が補充される。洗剤補充蓋２１２は、樹脂製であって弧板状を呈している。洗剤補充蓋２１２は、洗剤補充口２１１を開閉可能に覆っている。洗剤補充蓋２１２は、手動により、あるいは後述する駆動部材により、揺動可能である。
【００２８】
洗剤供給口２１３は、洗剤補充口２１１の下方に開設されている。洗剤供給口２１３は、矩形枠状を呈している。洗剤供給ダンパ２１４は、樹脂製であって矩形板状を呈している。洗剤供給ダンパ２１４は、洗剤供給口２１３を開閉可能に仕切っている。洗剤供給ダンパ２１４は、後述する駆動部材により揺動可能である。
【００２９】
リンス補充口２２１は、洗剤補充口２１１の左側に並んで開設されている。リンス補充口２２１は、上向きであって円形を呈している。リンス補充蓋２２２は、樹脂製であって、上面にグリップ２２２ａを持つ円板状を呈している。グリップ２２２ａの中央には、樹脂製であって透明な導光柱体２２２ｂが組み込まれている。導光柱体２２２ｂは、リンス補充蓋２２２を上下方向に貫通している。リンス補充蓋２２２は、リンス補充口２１１に対し、脱着可能に捻り固定されている。
【００３０】
リンス供給口２２３は、洗剤供給口２１３の下方に配置されている。リンス供給口２２３は、矩形小枠状を呈している。
【００３１】
次に、本実施形態の洗剤供給装置の後面側（前出図１の意匠パネル９３側）の構成について説明する。図４に、本実施形態の洗剤供給装置の後面側の合体後面図を示す。図５に、同洗剤供給装置の後面側の右側面図を示す。図６に、同洗剤供給装置の後面側の洗剤タンク側の分解斜視図を示す。図７に、同洗剤供給装置の後面側のリンスタンク側の分解斜視図を示す。なお、洗浄槽の後壁は、省略して示す。
【００３２】
これらの図に示すように、洗剤供給装置１の後面側には、基板２０と洗剤タンク本体２１０とリンスタンク本体２２０とリンス供給弁２２４と縦リンク部３と横リンク部４と縦リンク付勢ばね５と駆動部材６とが配置されている。縦リンク付勢ばね５は、本発明の縦リンク付勢部材に含まれる。
【００３３】
洗剤タンク本体２１０は、樹脂製であって凹状を呈している。洗剤タンク本体２１０は、ゴム製のパッキン（図略）を介して、基板２０のタンク枠２０５に伏設されている。洗剤タンク本体２１０は、基板２０に、スクリュー（図略）により螺着されている。洗剤タンク本体２１０の内部には、前記洗剤補充蓋２１２と洗剤供給ダンパ２１４とが配置されている。洗剤補充蓋２１２の左右壁には、それぞれ補充蓋側揺動凹部２１２ａが凹設されている。洗剤供給ダンパ２１４の左右壁には、それぞれ供給ダンパ側揺動凹部２１４ａが凹設されている。
【００３４】
洗剤タンク本体２１０の右壁上部には、縦第一揺動孔２１０ａが穿設されている。また、左壁上部からは、タンク内に向かって、縦第一揺動突起２１０ｄが突設されている。縦第一揺動孔２１０ａと縦第一揺動突起２１０ｄと補充蓋側揺動凹部２１２ａとは、同軸上に配置されている。また、洗剤タンク本体２１０の右壁下部には、縦第二揺動孔２１０ｂが穿設されている。左壁下部からは、タンク内に向かって、縦第二揺動突起２１０ｅが突設されている。縦第二揺動孔２１０ｂと縦第二揺動突起２１０ｅと供給ダンパ側揺動凹部２１４ａとは、同軸上に配置されている。また、縦第二揺動孔２１０ｂの上方には、当接座２１０ｆが突設されている。また、洗剤タンク本体２１０の座壁からは、後方に向かって座壁ボス２１０ｃが突設されている。
【００３５】
洗剤タンク本体２１０と洗剤補充口２１１と洗剤補充蓋２１２と洗剤供給口２１３と洗剤供給ダンパ２１４とにより、洗剤タンク２１が構成されている。
【００３６】
リンスタンク本体２２０は、透明な樹脂製であって凹状を呈している。リンスタンク本体２２０は、基板２０のリンス枠２０６に伏設されている。リンスタンク本体２２０は、基板２０後面に接合されている。リンスタンク本体２２０は、洗剤タンク本体２１０の左縁から下縁に亘って延びるＬ字状を呈している。
【００３７】
リンス供給弁２２４は、リンスタンク本体２２０のＬ字端に配置されている。リンス供給弁２２４は、弁座２２４ａと弁体２２４ｂと弁体付勢ばね２２４ｃと押さえ部材２２４ｄとを備えている。弁座２２４ａは、被係合枠２２４ｈを有する。弁座２２４ａは、リンスタンク本体２２０に固定されている。弁体２２４ｂは、シール板２２４ｆとシャフト２２４ｅとを備えている。シール板２２４ｆは、ゴム製であって円板状を呈している。シャフト２２４ｅは、樹脂製であって左右方向に延びる細板状を呈している。シール板２２４ｆは、シャフト２２４ｅの左先端に固定されている。シャフト２２４ｅの右先端には、切り欠き状のフック２２４ｇが形成されている。弁体付勢ばね２２４ｃは、シャフト２２４ｅに環装されている。押さえ部材２２４ｄは、樹脂製であって左側に開口する有底円筒状を呈している。押さえ部材２２４ｄの外周面には、係合爪２２４ｉが配置されている。係合爪２２４ｉが前記被係合枠２２４ｈに係止された状態で、押さえ部材２２４ｄは弁座２２４ａに固定されている。また、押さえ部材２２４ｄと弁座２２４ａとにより区画されるスペースには、弁体付勢ばね２２４ｃが乾燥された弁体２２４ｂが収容されている。また、押さえ部材２２４ｄの右底壁には、シャフト貫通孔２２４ｊが穿設されている。前記シャフト２２４ｅのフック２２４ｇは、このシャフト貫通孔２２４ｊから、外部に突出している。弁体付勢ばね２２４ｃは、シール板２２４ｆと押さえ部材２２４ｄとの間で、圧縮されている。言い換えると、弁体付勢ばね２２４ｃは、シール板２２４ｆを弁座２２４ａの方向に付勢している。
【００３８】
リンスタンク本体２２０の後壁上部からは、後方に向かってＬＥＤ座２２０ａが突設されている。ＬＥＤ座２２０ａには、ＬＥＤ２２０ｂが装着されている。また、リンスタンク本体２２０の内部には、下壁ボス２２０ｅを介して、釘状のフロート支持部材２２０ｄが挿入されている。フロート支持部材２２０ｄには、リング状のフロート２２０ｃが環装されている。フロート２２０ｃは、リンス液面のレベルに応じて浮沈する。フロート２２０ｃを介して、液面センサ（図略）は、リンスタンク本体２２０内のリンス液面を検知する。リンス液面が所定レベル以下になると、液面センサからの指示により、ＬＥＤ２２０ｂが点灯する。前述したように、リンスタンク本体２２０は透明である。また、前出図２に示すように、リンス補充蓋２２２には、透明な導光柱体２２２ｂが組み込まれている。このため、ＬＥＤ２２０ｂの点灯は、リンスタンク本体２２０、導光柱体２２２ｂを介して、操作者に視認される。
【００３９】
リンスタンク本体２２０とリンス補充口２２１とリンス補充蓋２２２とリンス供給口２２３とリンス供給弁２２４とにより、リンスタンク２２が構成されている。また、基板２０と洗剤タンク２１とリンスタンク２２とにより、基部２が構成されている。
【００４０】
駆動部材６は、ケース６４と往復駆動突起６０と突起付勢ばね６１と押さえリング６２と釘部６３とを備えている。ケース６４は、金属製であって直方体箱状を呈している。ケース６４は、前記洗剤タンク本体２１０の後壁に、スクリュー（図略）により、螺着されている。往復動突起６０は、金属製であって円柱状を呈している。往復動突起６０は、ケース６４の右壁を貫通して配置されている。往復動突起６０は、ケース６４に収容されたソレノイドコイル（図略）の電磁力により、左方向（ケース６４接近方向）にスライド可能である。押さえリング６２は、金属製であって往復動突起６０右先端に止着されている。突起付勢ばね６１は、往復動突起６０に環装されている。突起付勢ばね６１は、押さえリンク６２とケース６４右壁との間で圧縮されている。すなわち突起付勢ばね６１は、往復動突起６０を右方向（ケース６４離間方向）に付勢している。
【００４１】
縦リンク部３は、縦第一アーム３０と縦第二アーム３１とを備えている。縦第一アーム３０は、樹脂製であって、縦第一ボス３００と内側扇板３０１と外側扇板３０２とガイドリブ３０３とを備えている。縦第一ボス３００は、左右に延びる円筒状を呈している。縦第一ボス３００は、前記縦第一揺動孔２１０ａ、補充蓋側揺動凹部２１２ａと、同軸上に配置されている。縦第一ボス３００と補充蓋側揺動凹部２１２ａとがスクリュー３０４により螺着され、縦第一アーム３０は洗剤補充蓋２１２に固定されている。すなわち、縦第一アーム３０および洗剤補充蓋２１２は、縦第一揺動軸ｘ１を中心に、言い換えると上下前後に展開される面方向（以下、「上下前後面方向」と称す）に揺動可能である。ガイドリブ３０３は、部分螺旋状であって縦第一ボス３００の外周面に突設されている。内側扇板３０１は、ガイド枠３０１ａを有している。内側扇板３０１は、縦第一ボス３００の右端に配置されている。外側扇板３０２は、扇縁３０２ａを有している。外側扇板３０２は、内側扇板３０１の右側に配置されている。
【００４２】
縦第二アーム３１は、樹脂製であって、縦第二ボス３１０とＬ字板３１１と内側突起３１２と縦係合部３１３と外側突起３１４と押圧突起３１５とを備えている。縦第二ボス３１０は、左右に延びる円筒状を呈している。縦第二ボス３１０は、前記縦第二揺動孔２１０ｂ、供給ダンパ側揺動凹部２１４ａと、同軸上に配置されている。縦第二ボス３１０と供給ダンパ側揺動凹部２１４ａとがスクリュー３１６により螺着され、縦第二アーム３１は洗剤供給ダンパ２１４に固定されている。すなわち、縦第二アーム３１および洗剤供給ダンパ２１４は、縦第二揺動軸ｘ２を中心に、言い換えると上下前後面方向に揺動可能である。Ｌ字板３１１は、縦第二ボス３１０外周面から上方に突設されている。Ｌ字板３１１の上端には、縦係合部３１３が配置されている。また、Ｌ字板３１１の上端右壁からは、内側突起３１２が突設されている。Ｌ字板３１１の根本からは、右側に向かって外側突起３１４が突設されている。押圧突起３１５は、縦第二ボス３１０下縁から前方に突設されている。押圧突起３１５は、左右方向に対向して合計二つ配置されている。
【００４３】
縦リンク付勢ばね５は、縦第二ボス３１０の外周面に環装されている。縦リンク付勢ばね５の一端は、洗剤タンク本体２１０の右壁の縦第二揺動孔２１０ｂ付近に止着されている。一方、縦リンク付勢ばね５の他端は、縦第二ボス３１０に止着されている。縦リンク付勢ばね５は、縦第二アーム３１を、洗剤供給ダンパ２１４が開く方向（図中前から下に回る方向）に付勢している。
【００４４】
横リンク部４は、横第一アーム４０と横第二アーム４１と横リンク付勢ばね４２とを備えている。横リンク付勢ばね４２は、本発明の横リンク付勢部材に含まれる。横第一アーム４０は、樹脂製であって、横第一ボス４００と横第一アーム本体４０２と係止リブ４０３と合体用凸部４０４と縦第二用受け座４０５とを備えている。横第一ボス４００は、前後方向に延びる円筒状を呈している。横第一ボス４００は、前記座壁ボス２１０ｃの内周側に配置されている。横第一ボス４００は、座壁ボス２１０ｃと同軸上に配置されている。横第一アーム本体４０２は、横第一ボス４００の後端から、下方に向かって延設されている。横第一アーム本体４０２の下部は、後方に屈曲する段状を呈している。係止リブ４０３は、段内部に配置されている。合体用凸部４０４は、直方体状を呈している。合体用凸部４０４は、横第一ボス４００の後端上縁に配置されている。縦第二用受け座４０５は、上面が弧状の直方体状を呈している。縦第二用受け座４０５は、横第一ボス４００の後端左右縁に対向して合計二つ配置されている。
【００４５】
横第二アーム４１は、樹脂製であって、横第二ボス４１０と横第二アーム本体４１２と釘部用Ｕ字枠４１３と合体用孔４１４と被ガイド突起４１５と横係合部４１６とを備えている。横第二ボス４１０は、前後方向に延びる円筒状を呈している。横第二ボス４１０は、前記横第一ボス４００の内周側に挿入されている。横第二ボス４１０は、前記座壁ボス２１０ｃおよび横第一ボス４００と同軸上に配置されている。また、スクリュー４３は、横第二ボス４１０および横第一ボス４００を貫通して、座壁ボス２１０ｃに螺着されている。したがって、横第二アーム４１および横第一アーム４０は、横揺動軸ｙを中心に、言い換えると上下左右に展開される面方向に揺動可能である。ここで、横揺動軸ｙと、前記縦第一揺動軸ｘ１および縦第二揺動軸ｘ２とは、直交している。したがって、横第一アーム４０および横第二アーム４１の揺動方向と、縦第一アーム３０および縦第二アーム３１の揺動方向とは直交している。横第二アーム本体４１２は、横第二ボス４１０の後端から、上方に向かって延設されている。横第二アーム本体４１２の上部は、後方に屈曲する段状を呈している。上部後面には、横係合部４１６が配置されている。また、上部左側には、釘部用Ｕ字枠４１３が配置されている。また、上部前面からは、鉛筆状の被ガイド突起４１５が突設されている。合体用孔４１４は、矩形枠状を呈している。合体用孔４１４は、横第二ボス４１０の後端上縁に、前記合体用凸部４０４と対向して配置されている。
【００４６】
横リンク付勢ばね４２は、横第一ボス４００に環装されている。横リンク付勢ばね４２は、前記座壁ボス２１０ｃの前底壁と横第一アーム本体４０２との間において、圧縮されている。したがって、横リンク付勢ばね４２は、横第一アーム４０を横第二アーム４１方向に付勢している。
【００４７】
次に、本実施形態の洗剤供給装置のリンク機構について説明する。図８に、本実施形態の洗剤供給装置の縦リンク部、横リンク部付近の拡大斜視図を示す。図９に、同洗剤供給装置の縦リンク部、横リンク部付近の拡大分解斜視図を示す。なお、図９において、洗剤タンク本体２１０は省略して示す。また、これらの図に示すのは、後述する手動開閉モードの状態である。
【００４８】
これらの図に示すように、手動開閉モードにおいては、駆動部材６の釘部６３は、横第二アーム４１の釘部用Ｕ字枠４１３に係止されている。横第二アーム４１の横係合部４１６の後方には、縦リンク付勢ばね５に付勢され、縦第二アーム３１の縦係合部３１３が圧接している。つまり、縦第二アーム３１は、縦リンクばね５の付勢力が蓄積された状態で、横第二アーム４１により押さえつけられている。横第二アーム４１の被ガイド突起４１５は、縦第一アーム３０のガイドリブ３０３に当接している。横第二アーム４１の合体用孔４１４は、合体用凸部４０４と、所定間隔離間して、前後方向に対向している。
【００４９】
縦第二アーム３１の内側突起３１２は、縦第一アーム３０の内側扇板３０１のガイド枠３０１ａ内に、挿入されている。これに対し、縦第二アーム３１の外側突起３１４は、縦第一アーム３０の外側扇板３０２の扇縁３０２ａに、当接している。縦第二アーム３１の押圧突起３１５は、横第一アーム４０の縦第二用受け座４０５に当接している。つまり、横第一アーム４０は、横リンク付勢ばね４２により、横第二アーム４１方向および縦第二アーム３１方向に付勢された状態で、縦第二アーム３１により押さえつけられている。また、縦第二アーム３１は、前述したように横第二アーム４１により押さえつけられている。したがって、横第二アーム４１により、縦リンク付勢ばね５および横リンク付勢ばね４２の付勢力が、共に蓄積されている。横第一アーム４０の係止リブ４０３は、リンス供給弁２２４のフック２２４ｇと係合している。
【００５０】
次に、本実施形態の洗剤供給装置の動きについて、食器洗浄機の工程と対応させながら説明する。表１に、食器洗浄機の工程と洗剤供給装置の動きとの対応表を示す。
【００５１】
【表１】
2005131057.tif 000003
【００５２】
表に示すように、食器洗浄機の工程は、食器収容工程、予備洗浄工程、本洗浄工程、リンス工程、すすぎ工程、乾燥工程、食器回収工程の順に行われる。洗剤供給装置のモードには、手動開閉モードとメイン洗剤モードとリンスモードと手動復帰モードとサブ洗剤モードとがある。メイン洗剤モードおよびサブ洗剤モードは、それぞれ本発明の洗剤モードに含まれる。
【００５３】
各モードにより、洗剤補充蓋は、蓋が完全に閉まる全閉位置と、蓋が完全に開く全開位置と、蓋が全閉位置と全開位置との中間で止まる半開位置とに切り替わる。同様に、各モードにより、洗剤供給ダンパは、全閉位置と全開位置とに切り替わる。また、リンス供給弁は、リンスモードにおいて、まず全閉位置から全開位置に切り替わり、次いで全開位置から全閉位置に切り替わる。以下、食器洗浄機の各工程ごとに具体的に説明する。
【００５４】
食器収容工程においては、前出図１に示すように、まず、操作者が食器洗浄機９０の洗浄槽９１を引き出す。洗浄槽９１は、キッチン９の意匠パネル９３から、後方（室内）に突出する。次いで、操作者は、食器かご９４に食器９５を並べる。それから、操作者は、手動で前出図２に示す洗剤補充蓋２１２を開ける。すなわち、本工程においては、洗剤供給装置１は手動開閉モードにある。
【００５５】
図１０に、本実施形態の洗剤供給装置の縦リンク部および横リンク部の模式右側面分解図を示す。また、図１１に、同洗剤供給装置の手動開閉モード（全閉位置）における透過右側面図を示す。（ａ）は、縦リンク部および横リンク部の透過右側面図である。（ｂ）は、洗剤タンク本体内の透過右側面図である。なお、説明の便宜のため、図１０に示すように、各部材はデフォルメして模式的に示す。
【００５６】
図１１に示すように、操作者が洗剤補充蓋２１２を全閉位置から開けると、洗剤補充蓋２１２と縦第一揺動軸ｘ１により連結された縦第一アーム３０も、図中時計回りに揺動する。ガイド枠３０１ａの一端には、全閉位置決め絞り部３０１ｂが配置されている。全閉位置においては、全閉位置決め絞り部３０１ｂと縦第二アーム３１の内側突起３１２とが干渉している。この干渉により、全閉位置の位置決めが行われている。洗剤補充蓋２１２を開ける際には、相対的に、内側突起３１２が全閉位置決め絞り部３０１ｂを乗り越える。乗り越えた内側突起３１２がガイド枠３０１ａの他端まで移動すると、洗剤補充蓋２１２は、全開位置に切り替わる。
【００５７】
図１２に、本実施形態の洗剤供給装置の手動開閉モード（全開位置）における透過右側面図を示す。（ａ）は、縦リンク部および横リンク部の透過右側面図である。（ｂ）は、洗剤タンク本体内の透過右側面図である。
【００５８】
洗剤補充蓋２１２を開けた操作者は、図に示すように、洗剤タンク本体２１０に洗剤を補充する。また、前出図２に示す導光柱体２２２ｂが点灯していれば、操作者は、手動でリンス補充蓋２２２を開け、リンスも補充する。そして、再び、洗剤補充蓋２１２を前出図１１に示す全閉位置まで揺動させる。つまり、手動開閉モードにおいては、前出表１に示すように、洗剤補充蓋２１２は、全閉→全開→再び全閉の順に切り替えられる。
【００５９】
洗剤補充蓋２１２を閉めた操作者は、前出図１に示すように、洗浄槽９１をキッチン９内に押し込む。そして、意匠パネル９３に区画された操作部（図略）のスタートボタンを押す。これにより、食器洗浄が開始される。
【００６０】
予備洗浄工程においては、水または温水により、食器の洗浄が行われる。本工程においては、洗剤供給装置は作動しない。
【００６１】
本洗浄工程においては、前出表１に示すように、メイン洗剤モードとサブ洗剤モードとが択一的に行われる。すなわち、前記手動開閉モードにおいて、洗剤補充後の洗剤補充蓋２１２が全閉位置まで閉められた場合は、メイン洗剤モードが行われる。一方、洗剤補充後の洗剤補充蓋２１２が全開位置のままの場合（つまり操作者が閉め忘れた場合）は、サブ洗剤モードが行われる。ここでは、メイン洗剤モードについて説明する。サブ洗剤モードについては後述する。
【００６２】
図１３に、本実施形態の洗剤供給装置の縦リンク部および横リンク部のメイン洗剤モード（全閉位置）における後面図を示す。図１４に、同縦リンク部および横リンク部のメイン洗剤モード（開き中）における後面図を示す。図１５に、同縦リンク部および横リンク部のメイン洗剤モード（半開位置）における後面図を示す。図１６に、縦第二アームと横第二アームとの係合状態の模式図を示す。図１７に、本実施形態の洗剤供給装置のメイン洗剤モード（半開位置）における透過右側面図を示す。（ａ）は、縦リンク部および横リンク部の透過右側面図である。（ｂ）は、洗剤タンク本体内の透過右側面図である。なお、図１６（ａ）は、図１３のＡ視図である。また、図１６（ｂ）は、図１４のＢ視図である。また、図１６（ｃ）は、図１５のＣ視図である。
【００６３】
前出図１１に示す全閉位置においては、図１６（ａ）、あるいは図１３中実線ハッチングで示すように、横第二アーム４１の横係合部４１６の後面に、縦第二アーム３１の縦係合部３１３が、圧接している。この状態で、駆動部材６のソレノイドコイルが通電されると、図１３および図１６（ａ）に示すように、往復駆動突起６０がケース内に没入する。ここで、往復動突起６０と一体の釘部６３は、横第二アーム４１の釘部用Ｕ字枠４１３に係止されている。このため、横第二アーム４１は、横揺動軸ｙを中心に、図１３中において反時計回りに揺動する。したがって、横係合部４１６は、縦係合部３１３に対して、左方向にスライドする。そして、図１４および図１６（ｂ）に示すように、横係合部４１６から縦係合部３１３が解放される。図１６（ｂ）において、縦係合部３１３つまり縦第二アーム３１は、縦リンク付勢ばね５により、前方に付勢されている。このため、縦第二アーム３１は、図１７（ａ）に示すように、縦第二揺動軸ｘ２を中心に、図中時計回りに揺動する。縦第二アーム３１と洗剤供給ダンパ２１４とは、縦第二揺動軸ｘ２により連結されている。したがって、図１７（ｂ）に示すように、洗剤供給ダンパ２１４も図中時計回りに揺動し、全閉位置から全開位置に切り替わる。
【００６４】
一方、図１４に点線ハッチングで示すように、スライドする横第二アーム４１の被ガイド突起４１５は、縦第一アーム３０のガイドリブ３０３に摺接している。このため、被ガイド突起４１５が左方向にスライドすると、ガイドリブ３０３は上方に押し上げられる。この押し上げがきっかけとなり、縦第一アーム３０の揺動が始まる。図１７（ａ）に示すように、縦第一アーム３０の外側扇板３０２の扇縁３０２ａには、縦第二アーム３１の外側突起３１４が摺接している。この摺接を介して、縦第二アーム３１の揺動力が縦第一アーム３０に伝達される。このため、縦第一アーム３０は、縦第一揺動軸ｘ１を中心に、図１７中時計回りに揺動する。縦第一アーム３０と洗剤補充蓋２１２とは、縦第一揺動軸ｘ１により連結されている。このため、図１７（ｂ）に示すように、洗剤補充蓋２１２も図中時計回りに揺動し、全閉位置から半開位置に切り替わる。この揺動は、縦第二アーム３１の半開位置決め突起３１７が、前出図１０に示す洗剤タンク本体２１０の当接座２１０ｆに当接することで、終了する。すなわち、縦リンク付勢ばね５により付勢されている半開位置決め突起３１７が、当接座２１０ｆに当接することで、洗剤補充蓋２１２は半開位置に保持される。図１７（ｂ）に示すように、半開位置の洗剤補充蓋２１２から給水され、全開位置の洗剤供給ダンパ２１４から排水されることにより、洗剤タンク本体２１０内の洗剤は、固着することなく、食器洗浄機の洗浄槽内に供給される。
【００６５】
また、図１７（ａ）に示すように、縦第二アーム３１の押圧突起３１５が図中時計回りに揺動することで、横リンク付勢ばね４２の付勢力により、横第一アーム４０が後方に移動する。このため、横第一アーム４０の合体用凸部４０４が、横第二アーム４１の合体用孔４１４に挿入係止される。すなわち、横第一アーム４０と横第二アーム４１とが合体する。
【００６６】
また、図１６（ｃ）に示すように、横係合部４１６から縦係合部３１３が解放されると、駆動部材６に対する通電が断たれる。このため、往復動突起６０および釘部６３は、突起付勢ばね６１の付勢力により右方向に復元する。したがって、横第二アーム４１も図１６（ａ）の位置まで復動する。
【００６７】
以上説明したように、本モードにおいては、洗剤補充蓋２１２が全閉位置から半開位置に切り替わる。また、洗剤供給ダンパ２１４が全閉位置から全開位置に切り替わる。また、横第一アーム４０と横第二アーム４１とが合体する。
【００６８】
リンス工程においては、前出表１に示すように、リンスモードに切り替えられる。図１８に、本実施形態の洗剤供給装置の縦リンク部および横リンク部のリンスモード（全開位置）における後面図を示す。図に示すように、本モードにおいては、再び通電された駆動部材６が駆動する。前述のメイン洗剤モード同様に、駆動部材６の釘部６３に引っ張られて、横第二アーム４１は、左方向に揺動する。ここで、横第一アーム４０と横第二アーム４１とは合体している。このため、横第一アーム４０および横第二アーム４１は、横揺動軸ｙを中心に、反時計回りに一体揺動する。したがって、横第一アーム４０下端の係止リブ４０３は、右方向に揺動する。係止リブ４０３は、リンス供給弁のフック２２４ｇに係合している。係止リブ４０３に引っ張られて、フック２２４ｇつまり前出図７に示す弁体２２４ｂも右方向にスライドする。このため、シール板２２４ｆが、弁体付勢ばね２２４ｃの付勢力に抗して、弁座２２４ａから離座する。このシール板２２４ｆと弁座２２４ａとの隙間を介して、リンスタンク本体２２０内のリンスが前出図２に示すリンス供給口２２３から洗浄槽内に供給される。駆動部材６への通電が遮断されると、前述のメイン洗剤モード同様に、横第二アーム４１は、右方向に揺動し復帰する。このため、横第一アーム４０は左方向に揺動する。そして、弁体２２４ｂは弁体付勢ばね２２４ｃの付勢力により左方向にスライドし、シール板２２４ｆが弁座２２４ａに再び着座する。
【００６９】
このように、本モードにおいては、まず、駆動部材６の電磁力により、リンス供給弁２２４が全閉位置から全開位置に切り替わる。次いで、弁体付勢ばね２２４ｃの付勢力により、リンス供給弁２２４が全開位置から再び全閉位置に切り替わる。
【００７０】
すすぎ工程においては、リンス洗浄後の食器が水または温水によりすすがれる。乾燥工程においては、すすがれた食器が温風により乾燥される。これら両工程においては、洗剤供給装置は作動しない。所定時間乾燥後、食器洗浄機は自動的に停止する。
【００７１】
食器回収工程においては、乾燥後の食器の回収が行われる。すなわち、前出図１に示すように、まず、操作者が食器洗浄機９０の洗浄槽９１を後方に引き出す。次いで、操作者は、食器かご９４から食器９５を回収する。それから、操作者は、手動で前出図２に示す洗剤補充蓋２１２を開ける。本工程においては、洗剤供給装置１は手動復帰モードにある。
【００７２】
図１９に、本実施形態の洗剤供給装置の手動復帰モード（半開位置）における透過右側面図を示す。（ａ）は、縦リンク部および横リンク部の透過右側面図である。（ｂ）は、洗剤タンク本体内の透過右側面図である。図２０に、同洗剤供給装置の手動復帰モード（開き中）における透過右側面図を示す。（ａ）は、縦リンク部および横リンク部の透過右側面図である。（ｂ）は、洗剤タンク本体内の透過右側面図である。
【００７３】
図１９に示すように、操作者が洗剤補充蓋２１２を半開位置から開けると、洗剤補充蓋２１２と縦第一揺動軸ｘ１により連結された縦第一アーム３０も、図中時計回りに揺動する。縦第一アーム３０が所定角度揺動すると、図２０（ａ）に示すように、縦第一アーム３０の内側扇板３０１の復帰用スロープ３０１ｃが、縦第二アーム３１の内側突起３１２に当接する。
【００７４】
図２１に、同洗剤供給装置の手動復帰モード（洗剤供給ダンパ閉じ中）における透過右側面図を示す。（ａ）は、縦リンク部および横リンク部の透過右側面図である。（ｂ）は、洗剤タンク本体内の透過右側面図である。復帰用スロープ３０１ｃが内側突起３１２に当接すると、縦第二アーム３１は、図中反時計回りに揺動する。このため、縦第二アーム３１と縦第二揺動軸ｘ２により連結された洗剤供給ダンパ２１４も、図２１（ｂ）に示すように反時計回りに揺動する。
【００７５】
ここで、縦第二アーム３１は、図中時計回りに、縦リンク付勢ばね５により付勢されている。したがって、操作者は、縦リンク付勢ばね５の付勢力に抗しながら、洗剤供給蓋２１２を開けることになる。また、縦第二アーム３１の押圧突起３１５は、横第一アーム４０の縦第二用受け座４０５に当接している。このため、操作者が縦第二アーム３１を揺動させると、押圧突起３１５に押された横第一アーム４０が、横リンク付勢ばね４２の付勢力に抗しながら、前方向にスライドする。このスライドにより、横第二アーム４１から横第一アーム４０が分離される。このように、操作者は、縦リンク付勢ばね５の付勢力のみならず横リンク付勢ばね４２の付勢力にも抗しながら、洗剤供給蓋２１２を開けることになる。
【００７６】
ところで、前記手動開閉モードに復帰させるためには、前出図１６（ａ）に示すように、縦リンク付勢ばね５および横リンク付勢ばね４２の付勢力を蓄積した縦第二アーム３１の縦係合部３１３を、再び横第二アーム４１の横係合部４１６により、係止する必要がある。言い換えると、縦係合部３１３を横係合部４１６の後方にリセットする必要がある。以下、リセットのための機構について説明する。図２２に、本実施形態の洗剤供給装置の手動復帰モード（開き中）における縦第二アームと横第二アームとの位置関係図を示す。図２３に、縦第二アームと横第二アームとの再係合状態の模式図を示す。なお、説明の便宜上、図２２においては、縦第二アーム３１を一点鎖線で描く。図２２に示すように、横第二アーム４１において横係合部４１６が配置されている立壁の右面には、テーパ部４１７が形成されている。テーパ部４１７は、前方に向かって尖るように形成されている。このテーパ部４１７に、操作者により揺動される縦第二アーム３１の縦係合部３１３が摺接する。すなわち、図２３（ａ）に示すように、縦係合部３１３は、前方からテーパ部４１７に接近する。そして、図２３（ｂ）に示すように、縦係合部３１３左端がテーパ部４１７に当接する。縦係合部３１３左端がテーパ部４１７に当接すると、縦係合部３１３の持つ前から後方向の応力が、テーパ部４１７を介して、右から左方向の応力に変換される。この変換された応力により、往復駆動突起６０は、駆動部材６のケース内に没入する。そして、図２３（ｃ）に示すように、縦係合部３１３はテーパ部４１７を乗り越える。その後、図２３（ｄ）に示すように、縦係合部３１３が横係合部４１６の後方にリセットされる。すなわち、前出図１２に示す手動開閉モードの全開位置に復帰する。
【００７７】
以上説明したように、本モードにおいては、手動により、洗剤補充蓋が半開位置から手動開閉モードの全開位置に復帰する。また、洗剤供給ダンパが全開位置から全閉位置に復帰する。
【００７８】
次に、サブ洗剤モードについて説明する。本モードは、前記食器収容工程の手動開閉モード終了時において、洗剤補充後の洗剤補充蓋２１２が全開位置の場合に行われる。図２４に、本モードの場合の内側扇板と縦第二アームとの位置関係図を示す。なお、図に示すのは、手動開閉モードの洗剤補充蓋全開位置を示す前出図１２から、内側扇板３０１と縦第二アーム３１とを抜粋したものである。図１２において駆動部材６が駆動されると、前記メイン洗剤モード時と同様に、横第二アーム４１から縦第二アーム３１が解放される。解放された縦第二アーム３１は、縦リンク付勢ばねの付勢力により、図中時計回りに揺動する。揺動の際、図２４に示すように、縦第二アーム３１の内側突起３１２は、復帰用スロープ３０１ｃを乗り越える。復帰用スロープ３０１ｃつまり縦第一アーム３０は、このとき内側突起３１２から受ける応力により、図中反時計回りに揺動する。縦第二アーム３１の揺動は、前記メイン洗剤モード時と同様に、前出図１０における半開位置決め突起３１７が当接座２１０ｆに当接することにより終了する。
【００７９】
このようにして、本モードにおいては、洗剤補充蓋２１２が、全開位置から前出図１７に示す半開位置に、切り替わる。また、洗剤供給ダンパ２１４が全閉位置から全開位置に切り替わる。また、前記メイン洗剤モード時と同様に、横第一アーム４０と横第二アーム４１とが合体する。なお、本モード後においては、前述したリンス工程、すすぎ工程、乾燥工程、食器回収工程が順次行われる。
【００８０】
次に、本実施形態の洗剤供給装置の効果について説明する。本実施形態の洗剤供給装置１によると、単一の駆動部材６により、互いに交差する面展開方向に動く縦リンク部３と横リンク部４とを駆動することができる。すなわち、比較的簡単な駆動機構により、互いに交差する面展開方向に動く洗剤補充蓋２１２および洗剤供給ダンパ２１４とリンス供給弁２２４とを、駆動することができる。また、駆動機構が簡単なため、洗剤供給装置１はコンパクトである。したがって、省スペース性に優れている。また、洗剤補充口２１１およびリンス補充口２２１は、共に上向きに開口している。このため、洗剤、リンスの補充作業が容易である。
【００８１】
また、本実施形態の洗剤供給装置１によると、縦リンク部３は、縦第一アーム３０と縦第二アーム３１とから構成されている。また、横リンク部４は、横第一アーム４０と横第二アーム４１と横リンク付勢ばね４２とから構成されている。このため、部品点数が少なくて済む。また、横第一アーム４０と横第二アーム４１とは、合体用凸部４０４と合体用孔４１４との係脱により、合体、分離可能である。このため、メイン洗剤モードあるいはサブ洗剤モードにおいては、両アームを分離することで、横第二アーム４１の揺動力が横第一アーム４０に伝わりリンス供給弁２２４が誤作動するのを抑制することができる。一方、リンスモードにおいては、両アームを係合させることで、横第二アーム４１の揺動力を横第一アーム４０に確実に伝えることができる。すなわち、リンス供給弁２２４を確実に作動させることができる。
【００８２】
以上、本発明の洗剤供給装置の実施の形態について説明した。しかしながら、実施の形態は上記形態に特に限定されるものではない。当業者が行いうる種々の変形的形態、改良的形態で実施することも可能である。例えば、上記実施形態の洗剤補充蓋２１２は、半開位置を経て全開位置と全閉位置とを切り替えたが、全開位置と全閉位置との間だけを切り替えるものであってもよい。また、本実施形態の洗剤供給装置１は、ビルトイン引出しタイプに限らず立壁（前出図１の後壁９２）を持つあらゆるタイプの食器洗浄機に採用することができる。
【図面の簡単な説明】
【００８３】
【図１】本発明の一実施形態となる洗剤供給装置の配置図である。
【図２】同洗剤供給装置の前面側の合体斜視図である。
【図３】同洗剤供給装置の前面側の分解斜視図である。
【図４】同洗剤供給装置の後面側の合体後面図である。
【図５】同洗剤供給装置の後面側の右側面図である。
【図６】同洗剤供給装置の後面側の洗剤タンク側の分解斜視図である。
【図７】同洗剤供給装置の後面側のリンスタンク側の分解斜視図である。
【図８】同洗剤供給装置の縦リンク部、横リンク部付近の拡大斜視図である。
【図９】同洗剤供給装置の縦リンク部、横リンク部付近の拡大分解斜視図である。
【図１０】同洗剤供給装置の縦リンク部および横リンク部の模式右側面分解図である。
【図１１】同洗剤供給装置の手動開閉モード（全閉位置）における透過右側面図である。
【図１２】同洗剤供給装置の手動開閉モード（全開位置）における透過右側面図である。
【図１３】同洗剤供給装置の縦リンク部および横リンク部のメイン洗剤モード（全閉位置）における後面図である。
【図１４】同洗剤供給装置の縦リンク部および横リンク部のメイン洗剤モード（開き中）における後面図である。
【図１５】同洗剤供給装置の縦リンク部および横リンク部のメイン洗剤モード（半開位置）における後面図である。
【図１６】同洗剤供給装置の縦第二アームと横第二アームとの係合状態を示す模式図である。
【図１７】同洗剤供給装置のメイン洗剤モード（半開位置）における透過右側面図である。
【図１８】同洗剤供給装置の縦リンク部および横リンク部のリンスモード（全開位置）における後面図である。
【図１９】同洗剤供給装置の手動復帰モード（半開位置）における透過右側面図である。
【図２０】同洗剤供給装置の手動復帰モード（開き中）における透過右側面図である。
【図２１】同洗剤供給装置の手動復帰モード（洗剤供給ダンパ閉じ中）における透過右側面図である。
【図２２】同洗剤供給装置の手動復帰モード（開き中）における縦第二アームと横第二アームとの位置関係図である。
【図２３】同洗剤供給装置の縦第二アームと横第二アームとの再係合状態を示す模式図である。
【図２４】同洗剤供給装置のサブ洗剤モードにおける内側扇板と縦第二アームとの位置関係図である。
【図２５】従来の食器洗浄機における洗剤供給装置の配置図である。
【図２６】同食器洗浄機の洗剤供給装置の拡大図である。
【符号の説明】
【００８４】
１：洗剤供給装置。
２：基部、２０：基板、２００：パッキン、２０１：スクリュー、２０２：スクリュー座、２０５：タンク枠、２０６：リンス枠、２１：洗剤タンク、２１０：洗剤タンク本体、２１０ａ：縦第一揺動孔、２１０ｂ：縦第二揺動孔、２１０ｃ：座壁ボス、２１０ｄ：縦第一揺動突起、２１０ｅ：縦第二揺動突起、２１０ｆ：当接座、２１１：洗剤補充口、２１２：洗剤補充蓋、２１２ａ：補充蓋側揺動凹部、２１３：洗剤供給口、２１４：洗剤供給ダンパ（洗剤供給蓋）、２１４ａ：供給ダンパ側揺動凹部、２２：リンスタンク、２２０：リンスタンク本体、２２０ａ：ＬＥＤ座、２２０ｂ：ＬＥＤ、２２０ｃ：フロート、２２０ｄ：フロート支持部材、２２０ｅ：下壁ボス、２２１：リンス補充口、２２２：リンス補充蓋、２２２ａ：グリップ、２２２ｂ：導光柱体、２２３：リンス供給口、２２４：リンス供給弁、２２４ａ：弁座、２２４ｂ：弁体、２２４ｃ：弁体付勢ばね、２２４ｄ：押さえ部材、２２４ｅ：シャフト、２２４ｆ：シール板、２２４ｇ：フック、２２４ｈ：被係合枠、２２４ｉ：係合爪、２２４ｊ：シャフト貫通孔。
３：縦リンク部、３０：縦第一アーム、３００：縦第一ボス、３０１：内側扇板、３０１ａ：ガイド枠、３０１ｂ：全閉位置決め絞り部、３０１ｃ：復帰用スロープ、３０２：外側扇板、３０２ａ：扇縁、３０３：ガイドリブ、３０４：スクリュー、３１：縦第二アーム、３１０：縦第二ボス、３１１：Ｌ字板、３１２：内側突起、３１３：縦係合部、３１４：外側突起、３１５：押圧突起、３１６：スクリュー、３１７：半開位置決め突起。
４：横リンク部、４０：横第一アーム、４００：横第一ボス、４０２：横第一アーム本体、４０３：係止リブ、４０４：合体用凸部、４０５：縦第二用受け座、４１：横第二アーム、４１０：横第二ボス、４１２：横第二アーム本体、４１３：釘部用Ｕ字枠、４１４：合体用孔、４１５：被ガイド突起、４１６：横係合部、４１７：テーパ部、４２：横リンク付勢ばね（横リンク付勢部材）、４３：スクリュー。
５：縦リンク付勢ばね（縦リンク付勢部材）。
６：駆動部材、６０：往復駆動突起、６１：突起付勢ばね、６２：押さえリング、６３：釘部、６４：ケース。
９：キッチン、９０：食器洗浄機、９１：洗浄槽、９２：後壁（立壁）、９２０：矩形枠、９３：意匠パネル、９４：食器かご、９５：食器。
ｘ１：縦第一揺動軸、ｘ２：縦第二揺動軸、ｙ：横揺動軸。
【図１】
2005131057.tif 000004
【図２】
2005131057.tif 000005
【図３】
2005131057.tif 000006
【図４】
2005131057.tif 000007
【図５】
2005131057.tif 000008
【図６】
2005131057.tif 000009
【図７】
2005131057.tif 000010
【図８】
2005131057.tif 000011
【図９】
2005131057.tif 000012
【図１０】
2005131057.tif 000013
【図１１】
2005131057.tif 000014
【図１２】
2005131057.tif 000015
【図１３】
2005131057.tif 000016
【図１４】
2005131057.tif 000017
【図１５】
2005131057.tif 000018
【図１６】
2005131057.tif 000019
【図１７】
2005131057.tif 000020
【図１８】
2005131057.tif 000021
【図１９】
2005131057.tif 000022
【図２０】
2005131057.tif 000023
【図２１】
2005131057.tif 000024
【図２２】
2005131057.tif 000025
【図２３】
2005131057.tif 000026
【図２４】
2005131057.tif 000027
【図２５】
2005131057.tif 000028
【図２６】
2005131057.tif 000029